(57)【要約】【課題】画面を有効に利用できるようにすると共に、効率的に、かつ迅速に画像を編集できるようにする。【解決手段】撮影して得られた画像を編集する編集画面が、画像印刷装置１を利用するユーザの数に応じて編集用モニタ５１−１乃至５１−３に表示される。ユーザの数が１人である場合、編集用モニタ５１−２には、編集対象の画像が大部分にわたって表示され、その画像に施す編集ツールのメニューが編集用モニタ５１−１および５１−３に表示される。一方、ユーザの数が２人である場合、編集用モニタ５１−１および５１−３には、編集対象の画像が表示され、その画像に施す編集ツールのメニューが編集用モニタ５１−２に表示される。本発明は、写真シール自販機としての画像印刷装置に適用できる。【選択図】図２
2006065311.tif 000002
【特許請求の範囲】
【請求項１】
編集対象の画像と、前記編集対象の画像に施す編集を指示するとき操作される操作画像のうちの少なくともいずれかを表示可能な表示領域が複数設けられる表示手段と、
前記表示手段に設けられる複数の表示領域のうち、第１のグループのユーザが利用している表示領域以外の表示領域を、前記第１のグループに続いて装置を使用する第２のグループのユーザが利用する表示領域として割り当てる制御手段と
を備える画像印刷装置。
【請求項２】
編集対象とする画像の撮影を行う撮影空間と、前記編集対象の画像に対して編集を施す編集空間と、前記編集対象の画像の印刷を待つ印刷待ち空間とがそれぞれ異なる位置に設けられる
請求項１に記載の画像印刷装置。
【請求項３】
編集対象の画像と、前記編集対象の画像に施す編集を指示するとき操作される操作画像のうちの少なくともいずれかを表示可能な表示領域が複数設けられる表示手段を備える画像印刷装置の画像印刷方法において、
前記複数の表示領域のうち、第１のグループのユーザが利用している表示領域以外の表示領域を、前記第１のグループに続いて装置を使用する第２のグループのユーザが利用する表示領域として割り当てる制御ステップを含む画像印刷方法。
【発明の詳細な説明】
【技術分野】
【０００１】
本発明は、画像印刷装置および方法に関し、特に、設けられている画面を有効に利用できるようにすると共に、効率的に、かつ迅速に画像を編集できるようにする画像印刷装置および方法に関する。
【背景技術】
【０００２】
従来、ユーザの画像を撮影し、これを予め用意されたフレーム画像と合成してシール紙などに印刷して提供する、いわゆる「プリント倶楽部（登録商標）」などの画像印刷装置が知られている。
【０００３】
この画像印刷装置の中には、撮影後、ユーザが、撮影により得られた画像上に付属のペンで任意の文字や図形などを書き込む（編集する）ことができるようになされているものも存在する。ユーザは、このような編集機能を使用して、シール紙に印刷される画像を、よりオリジナリティのあるものにすることができる。
【０００４】
ところで、編集作業用の画面が複数設けられているものもあり、例えば、２つの編集用の画面が設けられている場合、２人のユーザがそれぞれ画像を編集することができ、１つの画面に表示されている画像を２人のユーザが同時に編集する場合に較べて、より効率的にそれを行うことができる。
【０００５】
また、一方の画面に入力された編集を、他の画面に表示されている編集対象の画像に反映させることができるものもあり、これにより、２つの画面を利用して、編集作業を、よりゲーム性のある、面白みのあるものとすることができる。
【発明の開示】
【発明が解決しようとする課題】
【０００６】
しかしながら、このように複数の編集用の画面が設けられている場合、編集を行うユーザの人数によっては、その効果を十分に発揮することができないという課題があった。
【０００７】
例えば、設けられている画面の数に対して、それを利用するユーザの数が少ない場合、利用されない画面が生じてしまい、複数設けられている画面を有効に利用することができない。具体的には、上述したように２つの画面が設けられており、それを利用するユーザが１人の場合、仮に、同様の編集画面が双方の画面に表示されているとしても、そのユーザは、片方の画面しか利用できないため、もう一方の画面が有効に利用されないことになる。
【０００８】
また、反対に、２つの画面が設けられており、それを利用するユーザが２人以上である場合、１つの画面に表示されている編集対象の画像に対して、複数のユーザが同時に編集を入力することとなり、効率的に画像を編集することができない。
【０００９】
本発明はこのような状況に鑑みてなされたものであり、設けられている画面を有効に利用できるようにすると共に、効率的に、かつ迅速に画像を編集できるようにするものである。
【課題を解決するための手段】
【００１０】
本発明の画像印刷装置は、編集対象の画像と、編集対象の画像に施す編集を指示するとき操作される操作画像のうちの少なくともいずれかを表示可能な表示領域が複数設けられる表示手段と、表示手段に設けられる複数の表示領域のうち、第１のグループのユーザが利用している表示領域以外の表示領域を、第１のグループに続いて装置を使用する第２のグループのユーザが利用する表示領域として割り当てる制御手段とを備えることを特徴とする。
【００１１】
この画像印刷装置は、例えば、写真シール自販機として利用されるようにすることができる。
【００１２】
また、この画像印刷装置においては、編集対象とする画像の撮影を行う撮影空間と、編集対象の画像に対して編集を施す編集空間と、編集対象の画像の印刷を待つ印刷待ち空間とがそれぞれ異なる位置に設けられているようにしてもよい。
【００１３】
本発明の画像印刷方法は、第１のグループのユーザが利用している表示領域以外の表示領域を、第１のグループに続いて装置を使用する第２のグループのユーザが利用する表示領域として割り当てる制御ステップを含むことを特徴とする。
【００１４】
本発明の画像印刷装置および方法においては、複数の表示領域のうち、第１のグループのユーザが利用している表示領域以外の表示領域が、第１のグループに続いて装置を使用する第２のグループのユーザが利用する表示領域として割り当てられる。
【発明の効果】
【００１５】
本発明の画像印刷装置および方法によれば、シール紙に印刷する画像を撮影することができる。また、編集を行う画面を有効に利用することができる。
【００１６】
さらに、ユーザは、容易に、かつ迅速に撮影して得られた画像を編集することができる。
【発明を実施するための最良の形態】
【００１７】
図１は、本発明を適用した写真シール自販機としての画像印刷装置１の構成例を示す斜視図である。
【００１８】
画像印刷装置１の垂直な面１Ａには、保持部材１３を介して撮影装置１２が面１Ａから突出した状態で設けられている。撮影装置１２は、面１Ａに垂直方向に配設されているレール１４に従って、所定の範囲内で上下方向に移動可能とされている。また、撮影装置１２は、保持部材１３との接合部を中心として、垂直平面内で上下方向に首振り自在に保持部材１３に取り付けられている。
【００１９】
従って、画像印刷装置１を利用するユーザは、撮影装置１２をレール１４に従って好みの高さに調節し、また、撮影装置１２の正面（CCD(Charge Coupled Device)２１および画像表示部２２が設けられている面）を好みの角度に調節し、撮影を行うことができる。
【００２０】
撮影装置１２には、CCD２１が設けられ、CCD２１の下には画像表示部２２が設けられている。CCD２１により被写体の画像が取り込まれ、取り込まれている画像（動画像）がリアルタイムで画像表示部２２に表示される。また、所定の撮影タイミングにおいて、CCD２１による撮影が行われ、ユーザ（被写体）の画像が静止画像として画像印刷装置１に保存される。画像表示部２２がCCD２１の近傍に設けられているため、ユーザは、CCD２１に視線を向けた状態で、画像表示部２２に表示される自分自身の画像を確認しながら、撮影を行うことができる。
【００２１】
撮影装置１２（レール１４）の左側にはフラッシュ照射部１５−１が設けられており、また、右側にはフラッシュ照射部１５−２が設けられている。フラッシュ照射部１５−１，１５−２は、撮影装置１２（CCD２１）により撮影されるタイミングで、画像印刷装置１の内部に設けられている照明装置から出射されるフラッシュ光を透過し、被写体を照射する。
【００２２】
フラッシュ照射部１５−２の下には、LCD(Liquid Crystal Display)やCRT（Cathode-Ray Tude）などにより構成される撮影用モニタ１６が設けられている。撮影用モニタ１６には、撮影処理の進行段階に応じて、撮影方法などを案内する各種のメッセージなどが表示される。また、撮影用モニタ１６には、撮影された画像が表示されるため、ユーザは、表示される撮影画像の中から、編集（落書き）対象の画像を選択することができる。後述するように、ユーザは、撮影を終了した後、画像印刷装置１の裏側に移動し、撮影された画像に対して好みの文字や図形などを入力し、編集を施すことができる。
【００２３】
撮影用モニタ１６の下には、面１Ａから突出した状態で操作部１１が設けられている。操作部１１の上面１１Ａは若干斜め上方を向いた状態で設けられており、そこに操作パネル１７が設けられている。ユーザは、操作パネル１７に設けられている各種のボタンにより、撮影処理を進行する。
【００２４】
操作パネル１７には、例えば、撮影用モニタ１６に表示される各種の選択に対して、決定するときに操作される「○ボタン」、決定したものをキャンセルするときに操作される「×ボタン」、撮影用モニタ１６に表示されるカーソルなどを上下左右に移動するときに操作される「矢印ボタン」などが配置される。また、そのほかにも、撮影を開始するとき操作される「撮影開始ボタン」なども適宜配置される。操作部１１には、撮影用モニタ１６に直接押し当てることで各種の選択を行うための入力ペンなども適宜用意される。
【００２５】
面１Ａの左下には、硬貨投入口１８が設けられている。ユーザは、画像印刷装置１を利用して撮影するとき、所定の代金を硬貨投入口１８に投入する。
【００２６】
画像印刷装置１の左側面１Ｂの下方には、シール取り出し口３１が設けられている。撮影され、編集等が施された画像が所定の数だけ、所定の大きさでシール紙に印刷され、得られたシール紙がシール取り出し口３１から排出される。
【００２７】
図２は、画像印刷装置１の面１Ａの反対側に相当する、面１Ｃ側の構成例を示す斜視図である。なお、以下において、適宜、面１Ａが設けられている面を画像印刷装置１の正面として説明し、面１Ａの反対側に相当する、面１Ｃが設けられて面を画像印刷装置１の背面として説明する。
【００２８】
画像印刷装置１の面１Ｃには、編集用モニタ５１−１乃至５１−３（表示領域）が水平に並置されている。編集用モニタ５１−１の下には収納部５２−１が設けられ、そこに、編集用モニタ５１−１に直接押し当てることで画像の編集などを行うための入力ペン５３−１が収納される。同様に、編集用モニタ５１−２の下に設けられる収納部５２−２には入力ペン５３−２が収納され、編集用モニタ５１−３の下に設けられる収納部５２−３には入力ペン５３−３が収納される。
【００２９】
撮影装置１２により撮影され、編集対象の画像として選択された画像は、ユーザが撮影処理を終了した後、編集用モニタ５１−１乃至５１−３にそれぞれ表示される。編集用モニタ５１−１乃至５１−３には、タッチパネルが積層されており、ユーザは、表示されている画像に対し、任意の文字や図形などを、入力ペン５３−１乃至５３−３を利用して書き込む（入力する）ことができる。
【００３０】
編集用モニタ５１−１乃至５１−３には、編集対象の画像とともに、様々な編集ツールを選択（操作）するためのボタンが表示される。そして、そのボタンが操作され、画像の編集が行われたとき、編集用モニタ５１−１乃至５１−３には、入力に応じて生成された編集済みの画像が表示される。
【００３１】
入力ペン５３−１および５３−２は、編集用モニタ５１−１乃至５１−３に積層されるタッチパネルの位置検出方式（例えば、抵抗膜式、超音波式など）に応じて構成される。
【００３２】
以上のような外観構成を有する画像印刷装置１においては、画像印刷装置１を利用する、１組のユーザの人数に基づいて、編集用モニタ５１−１乃至５１−３の表示が切り替わるようになされている。
【００３３】
例えば、撮影処理において、ユーザ（１組のグループ）に対して、利用するユーザの人数を問い合わせる画面が表示され、その画面に対するユーザからの入力に基づいて、ユーザの人数が画像印刷装置１により取得される。なお、入力した人数を、例えば、落書き処理（編集処理）の最中などの、その後の処理において適宜変更できるようにしてもよい。
【００３４】
そして、画像印刷装置１を利用しているユーザの数が１人である場合、例えば、編集対象の画像が編集用モニタ５１−２に表示されると共に、その左右の編集用モニタ５１−１および５１−３には、編集対象画像を編集するための各種の編集ツールのメニューが複数表示される。これにより、ユーザは、編集ツールを編集用モニタ５１−１および５１−３に表示されている画像（メニュー）の中から容易に選択でき、また、編集用モニタ５１−２に拡大して表示されている編集対象画像に対して、より細かい編集を容易に入力することができる。
【００３５】
一方、例えば、画像印刷装置１を利用しているユーザの数が２人である場合、編集用モニタ５１−１および５１−３には編集対象画像がそれぞれ表示され、それぞれのユーザに対して割り当てられる。また、中央の編集用モニタ５１−２には、それぞれのユーザが編集ツールを容易に選択できるように、編集ツールのメニューが表示される。
【００３６】
このように、利用するユーザの人数やユーザの遊びの好みに応じて編集用モニタ５１−１乃至５１−３の表示が切り替えられるため、編集用モニタ５１−１乃至５１−３を有効に利用することができる。また、ユーザは、効率的に、かつ迅速に画像を編集することができる。編集用モニタ５１−１乃至５１−３に表示される画像の配置の例については後に詳述する。
【００３７】
図３は、画像印刷装置１の配置の例を示す図である。
【００３８】
画像印刷装置１の正面（面１Ａ）に対向する位置には、所定距離だけ離間して背景パネル６１が設置され、ユーザ（ユーザ８１）は、画像印刷装置１と背景パネル６１の間を撮影空間６２として撮影を行う。なお、撮影空間６２には、画像印刷装置１の上面と背景パネル６１により支持される天井部材６３、および、撮影空間６２の内部が外側から見えないように、カーテン６４−１と側面パネル６５−１が設けられている。
【００３９】
撮影を終了した後に移動し、画像の編集を行う空間として、面１Ｃに臨む位置に編集空間７３が設けられている。編集空間７３には、その内部が外部から覗かれるのを防止すべく、カーテンフレーム７１にカーテン７２−１が取り付けられている。カーテン７２−１は、面１Ｂと略同一平面上に設けられ、カーテン７２−２は、面１Ｃに対向して、所定の距離だけ離間して設けられる。なお、この例においては、カーテンフレーム７１は、天井部材４３とほぼ同一平面上に設けられている。
【００４０】
図４は、画像印刷装置１の配置の例を、その上方から示す図である。
【００４１】
図４に示されるように、画像印刷装置１の右側面１Ｄ側にも、面１Ｂ側と同様に、撮影空間６２の内部が外側から覗かれることを防止すべく、カーテン６４−２と側面パネル６５−２が設けられている。撮影空間６２の内部（背景パネル６１、天井部材６３、側面パネル６５−１，６５−２等の内側）は、撮影装置１２により撮影された画像から、ユーザの画像のみをいわゆるクロマキ処理により抽出できるように、例えば、白色や青色などの単一色の面とされる。
【００４２】
図４を参照し、撮影を開始してからシール紙を受け取るまでのユーザの移動について説明する。
【００４３】
ユーザは、画像印刷装置１を利用するとき、白抜き矢印Ａ１で示されるように撮影空間６２に入場し、撮影処理を行う。所定の数の画像を編集対象の画像として選択し、撮影を終えたとき、ユーザは、例えば、白抜き矢印Ａ２で示されるようにして撮影空間６２から退場し、白抜き矢印Ａ３で示されるようにして画像印刷装置１の背面側に設けられる編集空間７３に移動する。
【００４４】
上述したように、編集空間７３から確認できる編集用モニタ５１−１乃至５１−３には、撮影空間６２において撮影し、選択した画像が、それを編集する人数や好みに応じて切り替えられて表示されるため、ユーザは、それに対して編集を行う。ユーザは、編集を終えたとき、次に、画像印刷装置１の面１Ｂに臨む場所である印刷待ち空間７４に白抜き矢印Ａ４で示されるようにして移動し、編集した画像がシール紙にプリントされ、排出されるまで待機する。
【００４５】
そして、シール取り出し口３１にシール紙が排出されたとき、ユーザは、それを受け取り、画像印刷装置１の利用を終える。これらの移動の案内は、撮影用モニタ１６、編集用モニタ５１−１乃至５１−３、または図示せぬスピーカなどにより行われる。
【００４６】
このように、撮影を行う空間、編集を行う空間、印刷が終了するのを待機する空間を、画像印刷装置１の異なる面の前方にそれぞれ設けることにより、撮影処理、編集処理、印刷処理を併行して実行させることができ、これらの処理を１つの空間で実行させる場合に較べて、画像印刷装置１を利用する顧客の回転率を向上させることができる。また、撮影処理に要する時間、編集処理に要する時間等を長く確保することができる。
【００４７】
図５は、画像印刷装置１の内部の構成例を示すブロック図である。上述した構成について、その詳細な説明は適宜省略する。
【００４８】
制御装置１０１は、パーソナルコンピュータなどにより構成され、画像印刷装置１の全体の動作を制御する。具体的には、制御装置１０１に設けられているCPU（Central Processing Unit）１４１により、ROM（Read Only Memory）１４２やハードディスクなどにより構成される記憶部１４６（いずれも図６）に記憶されているプログラムに基づく処理が実行される。
【００４９】
硬貨処理部１０２は、ユーザにより所定の代金が硬貨投入口１８に投入されたとき、それを検出し、制御装置１０１に通知する。照明制御部１０３は、撮影装置１２により被写体が撮影されるタイミングに併せて、制御装置１０１からの指示に基づいてフラッシュ光を出射する。出射されたフラッシュ光は、図１のフラッシュ照射部１５−１および１５−２を介して被写体（ユーザ）を照射する。
【００５０】
画像印刷装置１の面１Ｃに設けられている編集用モニタ５１−１にはタッチパネル１０４−１が、編集用モニタ５１−２にはタッチパネル１０４−２が、編集用モニタ５１−３にはタッチパネル１０４−３がそれぞれ積層されている。タッチパネル１０４−１乃至１０４−３は、入力ペン５３−１乃至５３−３により入力されたユーザからの指示を制御装置１０１に出力する。
【００５１】
プリンタユニット１０５は、プリンタ部１２１と制御タグリーダライタ１２２により構成され、プリンタユニット１０５に装着されるシール紙ユニット１０６は、シール紙１３１と、個々のシール紙ユニット１０６を識別する識別情報等を管理する制御タグ１３２により構成される。
【００５２】
プリンタ部１２１は、編集処理等が施された画像データが制御装置１０１から供給されたとき、供給された画像データにより表される画像を、ユーザにより選択された画像のサイズおよび分割数に従って、シール紙１３１に印刷し、シール紙１３１をシール取り出し口３１に排出する。
【００５３】
制御タグリーダライタ１２２は、制御タグ１３２に記憶されている識別情報を接触または非接触により読み出し、制御装置１０１に出力する。制御装置１０１は、制御タグリーダライタ１２２から供給された識別情報に基づいて、装着されているシール紙ユニット１０６が、画像印刷装置１において利用可能なユニットであるか否かを判定し、利用可能なユニットであると判定したときにのみ、プリンタ部１２１を動作可能にする。すなわち、制御装置１０１により、画像印刷装置１において利用可能とされるシール紙ユニットの識別情報が管理されている。
【００５４】
これにより、画像印刷装置１に対応していない（純正のものでない）シール紙が利用されるのを抑制することができる。また、制御タグ１３２により、シール紙１３１の残量等も管理される。なお、シール紙ユニット１０６が純正のものであるか否かを、シール紙ユニット１０６にプリントされているバーコードなどにより確認させるようにしてもよい。
【００５５】
図６は、図５の制御装置１０１の詳細な構成例を示すブロック図である。
【００５６】
CPU１４１は、ROM１４２に記憶されているプログラム、または、記憶部１４６からRAM（Random Access Memory）１４３にロードされたプログラムに従って各種の処理を実行する。RAM１４３にはまた、CPU１４１が各種の処理を実行する上において必要なデータなどが適宜記憶される。
【００５７】
CPU１４１、ROM１４２、およびRAM１４３は、バス１４４を介して相互に接続されている。バス１４４にはまた、入出力インタフェース１４５も接続されている。
【００５８】
入出力インタフェース１４５には、図５に示される、撮影装置１２、撮影用モニタ１６、操作パネル１７、編集用モニタ５１−１乃至５１−３（編集用モニタ５１）、硬貨処理部１０２、照明制御部１０３、タッチパネル１０４−１乃至１０４−３（タッチパネル１０４）、およびプリンタユニット１０５が接続されている。
【００５９】
記憶部１４６は、CPU１４１により実行されるプログラムの他、撮影装置１２により取り込まれている被写体の画像と合成する背景画像のデータや、撮影して得られた画像のデータなどを記憶する。記憶部１４６は、CPU１４１からの要求に応じて、それらのデータを適宜読み出し、提供する。
【００６０】
入出力インタフェース１４５にはまた、必要に応じてドライブ１４７が接続され、磁気ディスク１５１、光ディスク１５２、光磁気ディスク１５３、或いは半導体メモリ１５４などが適宜装着され、それらから読み出されたコンピュータプログラムや背景画像データが必要に応じて記憶部１４６に保存される。
【００６１】
次に、画像印刷装置１の処理について、フローチャートを参照して説明する。
【００６２】
始めに、図７のフローチャートを参照して、画像印刷装置１を利用する顧客（ユーザ）に応対する、画像印刷装置１の全体の処理について説明する。
【００６３】
ステップＳ１において、制御装置１０１のCPU１４１は、硬貨処理部１０２からの出力に基づいて、代金が投入されたか否か、すなわち、撮影を開始するユーザがいるか否かを判定し、代金が投入されたと判定するまで待機する。
【００６４】
CPU１４１は、ステップＳ１において、代金が投入されたと判定した場合、ステップＳ２に進み、撮影空間６２における撮影処理を実行する。すなわち、ユーザに対しては、同時に撮影しているグループの人数の問い合わせが行われ、利用している人数が登録される。その後、撮影が行われ、所定の回数だけ撮影されたとき、撮影処理が終了される。ステップＳ２において実行される撮影処理については、図８のフローチャートを参照して後に詳述する。
【００６５】
ステップＳ３において、CPU１４１は、ユーザからの入力に応じて、撮影した画像を編集する編集処理を実行する。ステップＳ３において実行される編集処理については、図１０のフローチャートを参照して後に詳述する。
【００６６】
CPU１４１は、ステップＳ４において、編集処理により編集され、生成された編集画像の画像データをプリンタユニット１０５のプリンタ部１２１に転送し、印刷させる。そして、印刷処理が終了されたとき、ステップＳ１に戻り、以上の処理が繰り返し実行される。
【００６７】
なお、図７に示される処理は、記載された順序に従って時系列的に行われるだけでなく、そのときの画像印刷装置１の利用状況に応じて並列的にも行われる。例えば、第１のユーザが撮影空間６２において撮影を終了させ、編集空間７３に移動した直後に、第２のユーザが撮影空間６２において撮影を開始した場合、図７のステップＳ２の撮影処理（第２のユーザの処理）とステップＳ３の編集処理（第１のユーザの処理）が並列して行われることになる。同様に、撮影処理、編集処理、および、ステップＳ４における印刷処理のそれぞれが状況に応じて並列して行われる。
【００６８】
次に、図８のフローチャートを参照して、図７のステップＳ２において実行される撮影処理の詳細について説明する。
【００６９】
ステップＳ１１において、CPU１４１は、ユーザに対して、撮影／落書きの人数（撮影および編集を行うグループの人数）を選択する選択画面を撮影用モニタ１６に表示させる。
【００７０】
図９は、ステップＳ１１において撮影用モニタ１６に表示される選択画面の例を示す図である。
【００７１】
例えば、選択画面には、その上方に「今日は何人で遊ぶ？人数を選択してね！」のメッセージが表示され、その下に、「１人」で撮影するとき操作される「１人用」ボタン１６１（ひとり）、「２人」で撮影するとき操作される「２人用」ボタン１６２（ふたり）、「３人」で撮影するとき操作される「３人用」ボタン１６３（３人）、および、さらに多人数で撮影するとき操作される「多人数用」ボタン１６４（たくさん）が表示される。
【００７２】
ユーザ（グループの代表者）は、操作パネル１７やその近傍に用意されている入力ペンを操作し、グループの人数に対応するボタンを操作する。また、ユーザは、ボタンを操作することで入力した人数を画像印刷装置１に登録するとき、撮影用モニタ１６の右下方に表示されている終了（OK）ボタン１６５を押下し、グループの人数を登録する。
【００７３】
CPU１４１は、ステップＳ１２において、図９の画面において選択された人数を受け付ける。選択されたグループの人数を表す情報は、RAM１４３、或いは記憶部１４６などに保存される。
【００７４】
ステップＳ１３において、CCD２１により取り込まれている動画像が画像表示部２２に表示される。CPU１４１は、ステップＳ１４において、撮影を開始するか否かを判定し、撮影を開始すると判定するまで、ステップＳ１３に戻り、それ以降の処理を繰り返し実行する。
【００７５】
例えば、撮影装置１２の高さや撮影角度の調節、または、撮影モードの選択などの各種の設定が行われ、ステップＳ１４において、撮影を開始すると判定した場合、CPU１４１は、撮影までのカウントダウンを例えば「５，４，３，２，１，０」などのように撮影用モニタ１６に表示する。また、図示せぬスピーカからも音声によりカウントダウンが出力される。
【００７６】
撮影までの時間が「０」になったとき（カウントダウンが「０」になったとき）、ステップＳ１６において、CPU１４１は、照明制御部１０３を制御し、フラッシュを被写体に照射させるとともに、CCD２１により撮影を行う（シャッターを閉じる）。
【００７７】
CPU１４１は、ステップＳ１７において、撮影を終了するか否かを判定し、撮影を終了すると判定するまで、ステップＳ１５に戻り、撮影を繰り返す。例えば、画像印刷装置１には、撮影回数が所定の回数だけ予め設定されており、また、撮影の制限時間が予め設定されており、残りの撮影回数が「０」になったとき、或いは、制限時間になったとき、撮影処理が終了される。
【００７８】
CPU１４１は、ステップＳ１７において、撮影を終了すると判定した場合、ステップＳ１８において、撮影した画像の中から、編集する画像（以下、適宜、編集対象画像と称する）を選択する画面を撮影用モニタ１６に表示させる。表示される画面において、ユーザは、操作パネル１７を操作し、所定の数の画像を編集対象画像として選択する。
【００７９】
また、ステップＳ１８で表示される編集対象画像の選択画面においては、ユーザは、編集対象画像の明るさ（明度）を調節できるようになされており、ステップＳ２０において、ユーザによる入力に基づいて、画像の明るさが調節される。
【００８０】
明るさが調節された編集対象画像は、ステップＳ２１において、後述する編集処理において編集する画像として保存される。
【００８１】
ステップＳ２２において、撮影用モニタ１６には、例えば、「機械の裏側に移動してね」などのメッセージが表示され、ユーザに対して、編集空間７３に移動することが案内される。この案内に従って、撮影処理を終えたユーザは、撮影空間６２から編集空間７３に移動する。
【００８２】
次に、図１０のフローチャートを参照して、図７のステップＳ３において実行される編集処理の詳細について説明する。
【００８３】
ステップＳ３１において、CPU１４１は、撮影処理（図８のステップＳ１２）において登録されたグループの人数を例えばRAM１４３または記憶部１４６から読み出し、ステップＳ３２に進み、グループの人数に応じて編集用モニタ５１−１乃至５１−３を割り当てる（利用形態を切り替える）とともに、編集用モニタ５１−１乃至５１−３に表示される編集対象画像、および、編集ツールを選択するとき操作されるボタンの画像の配置を切り替え、編集画面を表示する。
【００８４】
例えば、グループの人数が１人である場合（図９の画面においてグループの人数が「１人」であることが登録されている場合）、編集用モニタ５１−１乃至５１−３に表示される画像は、図１１に示されるような配置となる。
【００８５】
図１１は、画像印刷装置１の面１Ｃの構成を示す図であり、図に示されるように、画像を編集するユーザが１人である場合、編集用モニタ５１−２には、編集対象画像が画面の大部分にわたって表示され、その左右の編集用モニタ５１−１および５１−３には、編集ツールを選択するとき操作されるボタンが複数表示される。
【００８６】
図１２は、図１１の編集用モニタ５１−１乃至５１−３の表示を拡大して示す図である。
【００８７】
例えば、編集用モニタ５１−２には、編集対象の画像が拡大して表示される編集対象画像表示部１８４が表示され、ユーザは、画像選択部１８３に表示されている画像の中から、編集対象画像表示部１８４に表示させる画像を入力ペン５３−２により選択することができる。画像選択部１８３には、撮影処理において編集対象の画像として保存することが指示された画像が一覧表示されており、図１２に示される例においては、４種類の画像が編集対象の画像として選択されている。
【００８８】
編集用モニタ５１−１には、例えば、編集対象画像に線や文字などを入力するための「ペンツール」を選択するとき操作されるペンメニュー１８１が表示され、その左側のペン一覧１８２には、ペンメニュー１８１で選択されているペンの柄が一覧表示されている。すなわち、ペンメニュー１８１で選択されているペンが切り替えられたとき、ペン一覧１８２に表示される柄も切り替えられることとなる。
【００８９】
図１２の例においては、ペンメニュー１８１において「ペン（通常のペン）」が選択されていることが斜線により表されており、そのカテゴリに属する柄がペン一覧１８２に一覧表示されている。ユーザは、入力ペン５３−２によりペンメニュー１８１からペンのカテゴリを選択し、ペン一覧１８２からペンの柄を選択する。
【００９０】
一方、編集用モニタ５１−３には、編集対象画像に所定のスタンプ画像を配置する「スタンプツール」を選択するとき操作されるスタンプメニュー１８５が表示されている。また、スタンプメニュー１８５の右側のスタンプ一覧１８６には、スタンプメニュー１８５で選択されているスタンプのカテゴリに属するスタンプ画像が一覧表示されている。すなわち、スタンプメニュー１８５で選択されているカテゴリが切り替えられたとき、スタンプ一覧１８６に表示される画像も切り替えられることとなる。
【００９１】
図１２の例においては、スタンプメニュー１８５において「半透明スタンプ」が選択されていることが斜線により表されており、そのカテゴリに属するスタンプ画像がスタンプ一覧１８６に一覧表示されている。ユーザは、入力ペン５３−２によりスタンプメニュー１８５からスタンプ画像のカテゴリを選択し、スタンプ一覧１８６からスタンプ画像を選択する。
【００９２】
図１２に示されるものの他、編集用モニタ５１−１および５１−３には、例えば、一度入力した落書き等を消すための「消しゴムツール」を選択するとき操作される消しゴムメニュー、被写体の背景部分に好みのテクスチャを配置する「背景ブラシツール」を選択するとき操作される背景ブラシメニュー、および、「ペンツール」の太さを選択するとき操作される太さメニューや、それらのツールにより入力される柄の一覧などが適宜表示される。
【００９３】
編集対象画像が表示されている画面の左右に編集ツールが一覧表示されることにより、ユーザ（図１１のユーザ８１）は、編集ツール（図１２の例においてはペンツールやスタンプ画像）を容易に選択することができる。また、後述する図１３に示される場合と較べて編集対象画像が大きく表示されているため、ユーザは、詳細な編集を編集対象画像に施すことができる。
【００９４】
また、グループの人数が３人である場合（図９の画面においてグループの人数が「３人」であることが登録されている場合）、図１０のステップＳ３２においては、例えば、図１３に示されるように、編集用モニタ５１−１乃至５１−３のそれぞれに、編集対象画像と各種の編集ツールを選択するとき操作されるボタンが表示される。
【００９５】
編集用モニタ５１−１に表示されている編集対象画像は、その近傍にボタンが表示されている編集ツールによりユーザ８１Ａにより編集され、編集用モニタ５１−２に表示されている編集対象画像は、その近傍にボタンが表示されている編集ツールによりユーザ８１Ｂにより編集される。また、編集用モニタ５１−３に表示されている編集対象画像は、その近傍にボタンが表示されている編集ツールによりユーザ８１Ｃにより編集される。
【００９６】
図１４は、図１３の編集用モニタ５１−１乃至５１−３の表示を拡大して示す図である。
【００９７】
編集用モニタ５１−１の編集対象画像表示部１８４−１（図１２の編集対象画像表示部１８４と同様のもの）の近傍には編集ツールを選択するとき操作される各種のボタンが表示されており、例えば、編集対象画像表示部１８４−１の右側には、編集対象画像表示部１８４−１に表示させる画像を選択する画像選択部１８３−１（図１２の画像選択部１８３と同様のもの）が表示されている。
【００９８】
また、編集用モニタ５１−１の左上方にはペンメニュー１８１−１（図１２のペンメニュー１８１と同様のもの）およびスタンプメニュー１８５−１（図１２のペンメニュー１８５と同様のもの）が表示され、その右側にはペンツールにより入力される画像の色を選択するとき操作される色メニュー１９１−１が表示されている。編集用モニタ５１−１の左側には消しゴムメニュー１９２−１、背景ブラシメニュー１９３−１、および、太さメニュー１９４−１が表示されている。
【００９９】
例えば、ペンメニュー１８１−１のいずれかのボタンが操作されたとき、ボタンに対応するカテゴリが選択され、そのカテゴリの柄の一覧がペンメニュー１８１−１に重畳して表示される。
【０１００】
編集用モニタ５１−２および５１−３には、編集用モニタ５１−１に表示されているものと同様の画面が表示されており、ユーザ８１Ｂおよび８１Ｃは、それぞれの画面に表示されている編集対象画像を編集することができる。なお、編集用モニタ５１−１乃至５１−３においては、それぞれ異なる編集対象画像が選択されている。
【０１０１】
さらに、グループの人数が２人である場合（図９の画面においてグループの人数が「２人」であることが登録されている場合）、ステップＳ３２において表示される編集用モニタ５１−１乃至５１−３の表示は、図１５に示されるものとなる。
【０１０２】
すなわち、図１５に示されるように、編集用モニタ５１−１および５１−３のそれぞれに、編集対象画像と各種の編集ツールを選択するとき操作されるボタンが表示され、編集用モニタ５１−２には、例えば、編集ツールを選択するとき操作されるボタンと、選択されているボタンのカテゴリに属する柄が拡大して一覧表示される。
【０１０３】
編集用モニタ５１−１に表示されている編集対象画像は、その近傍に設けられている編集ツール、および編集用モニタ５１−２に表示され、設けられている編集ツールによりユーザ８１Ａにより編集され、編集用モニタ５１−３に表示されている編集対象画像は、その近傍に設けられている編集ツール、および編集用モニタ５１−２に表示され、設けられている編集ツールによりユーザ８１Ｂにより編集される。
【０１０４】
図１６は、図１５の編集用モニタ５１−１乃至５１−３の表示を拡大して示す図である。図１４と同様の表示については同一の符号を付してある。
【０１０５】
編集用モニタ５１−１および５１−３には、ユーザが３人である場合と同様に、編集対象画像と、その画像に編集を施す編集ツールを選択するとき操作されるボタンがそれぞれ表示され、編集用モニタ５１−２には、図１２の編集用モニタ５１−３に表示されているものと同様の画面、すなわち、スタンプメニュー１８５と、スタンプ画像の柄が一覧表示されている。
【０１０６】
なお、編集用モニタ５１−２に表示される編集ツールのメニューをユーザが選択できるようにしてもよい。例えば、編集用モニタ５１−１を利用しているユーザ８１Ａにより、色メニュー１９１−１を拡大表示することが指示された場合、その指示に従って、編集用モニタ５１−１に表示されているものと較べて拡大され、色を容易に選択できるようにされた色メニュー１９１−１が編集用モニタ５１−１に表示される。
【０１０７】
このように、利用されていない画面である編集用モニタ５１−２に、編集ツールを選択する画像のみを表示させるようにしたため、その左右の画面で編集を行っているユーザは、編集ツールを容易に選択することができる。
【０１０８】
図１０の説明に戻り、ステップＳ３２において、編集用モニタ５１−１乃至５１−３に編集画面を表示させた後、ステップＳ３３に進み、CPU１４１は、ユーザからの入力に応じて、編集対象画像を編集する。
【０１０９】
例えば、ユーザが１人であり、編集用モニタ５１−１乃至５１−３に、図１２に示されるような画面がそれぞれ表示されている場合、CPU１４１は、所定のペンツールの柄がペン一覧１８２から選択され、文字が編集対象画像に入力されたとき、CPU１４１は、入力された文字に対応する、ペン一覧１８２から選択された柄の画像を編集対象画像に重畳して表示させる。
【０１１０】
CPU１４１は、ステップＳ３４において、編集処理を終了するか否かを判定し、例えば、編集用モニタ５１−１乃至５１−３の所定の位置に表示されている終了ボタンが操作されていないため編集処理を終了しないと判定した場合、かつ、予め設定されている制限時間が経過していないと判定した場合、ステップＳ３３に戻り、以上の処理を繰り返し実行する。
【０１１１】
一方、終了ボタンが操作された場合、または、予め設定されている制限時間が終了した場合、CPU１４１は、ステップＳ３４において、編集処理を終了すると判定する。
【０１１２】
ステップＳ３５において、CPU１４１は、編集用モニタ５１−１乃至５１−３に、印刷待ち空間７４に移動することを案内するメッセージを表示させる。また、CPU１４１は、ステップＳ３６において、編集が入力された編集対象画像のデータをプリンタ部１２１に出力する。
【０１１３】
編集用モニタ５１−１乃至５１−３に表示されるメッセージに従って、ユーザは印刷待ち空間７４に移動し、シール取り出し口３１からシール紙が排出されてくるのを待機する。
【０１１４】
その後、処理は図７のステップＳ４に進み、編集が入力された画像（編集画像）が、例えば、撮影処理における所定のタイミング、或いは編集処理における所定のタイミングでユーザにより設定された分割数に従ってシール紙１３１に印刷される。編集画像が印刷されたシール紙１３１は、シール取り出し口３１から排出され、ユーザに提供される。
【０１１５】
以上のように、画像印刷装置１を利用するユーザの数（撮影画像を編集するユーザの数）に応じて、編集用モニタ５１−１乃至５１−３の表示を切り替え、例えば、ユーザの数がモニタの数より少ない場合には、編集対象画像が表示されない画面に、編集ツールを選択するとき操作されるボタンが多数表示されるようにしたので、それらのモニタを有効に利用して画像を編集させることができる。また、ユーザは、ボタンのみが表示される画面を利用して、容易に、かつ迅速に、好みの編集ツールを選択することができる。
【０１１６】
以上においては、編集対象画像が表示されず、ユーザによる編集が行われていない編集用モニタには、編集を行っているユーザが編集ツールを容易に選択できるように、編集ツールのメニューなどが表示されるとしたが、編集画面や編集ツールのメニュー以外の画面が表示され、その画面を利用して、編集処理と並行して、ユーザが様々な処理を行うことができるようにしてもよい。
【０１１７】
上述したように、ユーザは、編集して得られた画像が印刷される位置、およびそのサイズを表すシール紙１３１の分割数（印刷パターン）を選択する必要があるが、その分割数を選択する画面を編集用モニタ５１−１乃至５１−３のいずれかに表示させ、その画面を利用して、画像の編集処理と並行して、分割数を選択できるようにしてもよい。
【０１１８】
この場合、編集用モニタ５１−１乃至５１−３の表示は、例えば、図１７に示されるものとなる。
【０１１９】
図１７の例においては、画像印刷装置１を利用するユーザは３人（ユーザ８１Ａ乃至８１Ｃ）とされ、ユーザ８１Ａにより、編集用モニタ５１−１に表示される編集画面が利用されて画像の編集が行われ、ユーザ８１Ｂにより、編集用モニタ５１−２に表示される編集画面が利用され、画像の編集が行われている。また、編集用モニタ５１−３には、シール紙１３１の分割数を選択する選択画面が表示され、ユーザ８１Ｃにより、分割数の選択が行われている。
【０１２０】
図１８は、図１７に示される編集用モニタ５１−１乃至５１−３の表示を拡大して示す図である。
【０１２１】
図１８に示されるように、例えば、編集用モニタ５１−１および５１−２には、図１４に示されるもの（ユーザが３人である場合の画面）と同様の編集画面が表示され、編集用モニタ５１−３には、シール紙１３１に印刷する画像を選択するとき操作される画像選択部２０１、シール紙１３１を表し、画像選択部２０１において選択された画像の配置位置を選択するとき操作される配置選択部２０２が表示されている。また、画像選択部２０１の下には、画像選択部２０１において選択された画像のサイズを選択するとき操作されるサイズ選択ボタン２０３（「大」、「中」、「小」）が表示されている。
【０１２２】
ユーザは、印刷パターンを選択するとき、画像選択部２０１に表示されているものの中から、シール紙１３１上に印刷する画像を選択し、次に、選択した画像のサイズを、サイズ選択ボタン２０３のいずれかのボタンを操作することで選択する。そして、選択した画像の配置位置を、配置選択部２０２の所定の位置を指示することで選択する。配置選択部２０２において選択された位置に対応するシール紙１３１の位置に、ユーザにより選択された画像が、選択されたサイズで印刷される。
【０１２３】
なお、編集用モニタ５１−３の右下には、印刷パターンの選択を終了するとき操作される終了ボタン（OKボタン）２０４が表示され、編集用モニタ５１−３の左下には、分割数の選択に対して予め設定されている制限時間が表示されている。
【０１２４】
図１８の編集用モニタ５１−３において選択された印刷パターンに従って、編集用モニタ５１−１および５１−２で編集された画像（印刷パターンの選択に並行して実行された編集処理により取得された編集画像）がシール紙１３１に印刷される。
【０１２５】
このように編集処理と並列して処理を実行できるようにすることにより、ユーザ毎に分担して処理を行うことができ、１組のユーザに対して予め与えられた制限時間を有効に利用することができる。
【０１２６】
すなわち、図１８に示されるように分割数を選択する画面を表示させ、編集処理と並行して分割数を選択できるようにすることにより、３人のユーザで同時に編集処理を行い、それが終了した後に分割数を選択する場合と較べて、並列して異なる処理を行うことができる分だけ、制限時間を有効に利用することができる。
【０１２７】
なお、シール紙１３１の分割数を選択する処理以外の、様々な処理を編集処理と並行して実行させることができるようにしてもよい。
【０１２８】
例えば、編集処理と並行して、編集対象画像の明るさを調整できるようにしてもよいし、好みのスタンプ画像を作成し、それを、他の編集用モニタに表示されているスタンプメニューに追加できるようにしてもよい。また、編集用モニタの近傍に撮影部やスキャナなどの画像取り込み部が設けられている場合、撮影して得られた画像やスキャナにより取り込まれた画像をスタンプ画像として追加できるようにしてもよい。さらに、編集して得られた画像を、ユーザが有する携帯電話機などに送信できる機能が画像印刷装置１に設けられている場合、画像の送信先である携帯電話機のメールアドレスを入力する処理などを、編集処理と並行して実行させるようにしてもよい。
【０１２９】
また、他のユーザが編集処理を終えるまでの時間を退屈することなく待つことができるように、モグラたたきゲームなどの簡単なゲームを編集処理と並行して行うことができるようにしてもよい。
【０１３０】
このように、各種の処理を編集処理と並行して実行できるようにすることによっても、より効率的に制限時間を利用することができる。
【０１３１】
以上においては、画像印刷装置１の面１Ｃに設けられる編集用モニタは、３つだけであるとしたが、その数は適宜変更可能である。例えば、図１９に示されるように、６つの編集用モニタ（編集用モニタ５１−１乃至５１−６）が設けられるようにしてもよいし、図２０に示されるように、図２に示されるものと較べて、１つの大きな編集用モニタ（編集用モニタ５１）が設けられるようにしてもよい。
【０１３２】
図１９に示されるようにさらに多数の編集用モニタが設けられるようにすることで、３人以上からなるグループに対しても対応することが可能となる。また、編集対象画像が表示されていない全てのモニタに編集ツールのメニューを表示させることで、ユーザは、容易に編集ツールを選択することができる。
【０１３３】
なお、図２０に示されるように１つの大きな編集用モニタ５１が設けられる場合、編集用モニタ５１には、それを利用するユーザの人数に応じて、表示領域が設けられ、そこに、図１１乃至図１６を参照して説明したように編集対象画像および編集ツールの選択画面が表示される。
【０１３４】
従って、図２０に示されるように画像印刷装置１を利用するユーザが３人である場合、それぞれのユーザが立つ位置の正面には、表示領域５１Ａ乃至５１Ｃが設定され、そこに、図１４に示されるような編集画面が表示される。また、表示領域５１Ａ乃至５１Ｃ以外の編集用モニタ５１の領域には、編集ツールを選択するとき操作されるボタンや、編集処理と並行して各種の処理を行う画面が表示される。
【０１３５】
また、図２１に示されるように、ユーザの身長に併せて、編集用モニタ５１の表示領域５１Ａ乃至５１Ｃの高さが調節されるようにしてもよい。図２１の例においては、最も背が高いユーザ８１Ａに対しては、編集用モニタ５１の左上に表示領域５１Ａが設定され、次に背が高いユーザ８１Ｂに対しては、編集用モニタ５１の上下方向のほぼ中央の位置に表示領域５１Ｂが設定され、最も背が低いユーザ８１Ｃに対しては、編集用モニタ５１の右下に表示領域５１Ｃが設定されている。
【０１３６】
この場合、ユーザの身長は、例えば、撮影画像から人物の領域が抽出され、それに基づいて取得されるようにしてもよいし、それぞれのユーザの身長を入力する画面を表示させ、その画面に対する入力に基づいて取得されるようにしてもよい。或いは、編集空間７３で各種の処理を行っているユーザが、自分自身で表示領域の高さを調節できるようにしてもよい。
【０１３７】
このように身長に応じて表示位置を切り替えることによっても、ユーザは、効率的に画像の編集などを行うことができる。
【０１３８】
以上においては、画像印刷装置１を利用するグループの人数に応じて、編集用モニタ５１−１乃至５１−３の利用形態が切り替わるとしたが、グループの人数に応じて、そのグループに割り当てられる画面が選択され、例えば、割り当てられていない画面がまだある場合（使用されていない画面が残っている場合）、その画面が、次のグループに割り当てられるようにしてもよい。
【０１３９】
例えば、図１３に示されるように、編集用モニタ５１−１乃至５１−３が設けられており、第１のグループの人数が２人であり、その次に使用した第２のグループの人数が１人である場合、編集用モニタ５１−１乃至５１−３は、図２２に示されるようにして、それぞれのグループに割り当てられる。
【０１４０】
図２２の例においては、ユーザ８１Ａおよび８１Ｂが画像印刷装置１を利用し、撮影処理を終了したとき、ユーザ８１Ａおよび８１Ｂ（第１のグループ）に対しては、編集用モニタ５１−１および５１−２を利用して編集を行うことが案内されている。また、第１のグループに続いて、ユーザ８１Ｃ（第２のグループ）が画像印刷装置１を使用し、撮影処理を終了したとき、ユーザ８１Ｃに対しては、第１のグループにより使用されていない、編集用モニタ５１−３において編集を行うことが案内される。
【０１４１】
このように、グループの人数に応じて、編集処理において使用する画面を割り当てる、使用されていない画面を利用させることにより、顧客の回転率を向上させることができるとともに、１組のグループに対して、より長い編集時間を確保することができる。
【０１４２】
なお、図２２の例においては、それぞれの編集用モニタを挟むようにカーテンが昇降自在に設けられており、第１のグループ（ユーザ８１Ａおよび８１Ｂ）と第２のグループ（ユーザ８１Ｃ）を区切るように、カーテン５４−３Ａが降りた状態とされている。すなわち、編集用モニタ５１−１を利用するユーザを挟む位置に設けられるカーテンが収納される、カーテン収納部５４−１および５４−２が面１Ｃに立設した状態で設けられ、編集用モニタ５１−２を利用するユーザを挟む位置に設けられるカーテンが収納される、カーテン収納部５４−２および５４−３が面１Ｃに立設した状態で設けられ、編集用モニタ５１−３を利用するユーザを挟む位置に設けられるカーテンが収納される、カーテン収納部５４−３および５４−４が面１Ｃに立設した状態で設けられる。
【０１４３】
カーテン収納部５４−１乃至５４−４に収納されるカーテンは、グループの数と、それぞれのグループの人数に応じて、その昇降が制御される。例えば、３人からなるグループ（１組のグループ）が画像印刷装置１を利用し、編集処理を行う場合、カーテン５４−３Ａはカーテン収納部５４−３に収納される。また、１人ずつのユーザからなる３組のグループが同時に編集を行う場合、図２２の状態に加えて、カーテン収納部５４−２に収納されているカーテンが降りた状態となり、３組のそれぞれのユーザにより同時に編集が行われる、
【０１４４】
このように、それぞれのグループを区切るようにカーテンを降ろすことで、それぞれのグループにより行われる編集の内容が、互いに覗かれるのを防止することができる。
【０１４５】
例えば、カーテン収納部５４−１乃至５４−４には、カーテンがロール状に収納されており、ユーザにより人数が入力されたときに自動的にカーテンの昇降が制御される。当然、ユーザが手動でカーテンを上げ下げできるようにしてもよい。
【０１４６】
このように、人数に応じて画面を割り当てる画像印刷装置１においては、例えば、図９に示される画面において人数が入力されたとき、制御装置１０１のCPU１４１は、編集用モニタの使用状況を確認し、入力された人数が、そのとき使用されていない画面の数より少ないときには、そのユーザ（グループ）に対して、編集用モニタの割り当てが予約された旨を通知する画面を表示する。そして、撮影処理が終了されたとき、予約された編集用モニタを利用して、編集処理を行うことがユーザに案内される。
【０１４７】
一方、入力された人数が、そのとき使用されていない画面の数より多いときには、そのユーザに対して、編集用モニタの空きができるまで（先に使用しているユーザが編集処理を終えるまで）、撮影処理などを繰り返し続行することが案内される。そして、先に使用していたグループが編集処理を終了したとき、例えば、撮影を繰り返していたグループに対して編集用モニタが割り当てられ、その画面を利用して編集処理を行うことが案内される。
【０１４８】
また、以上においては、全ての編集用モニタが、画像印刷装置１の背面１Ｃに配置されるとしたが、編集用モニタと落書きを入力する入力ペンが設けられている編集用端末が、画像印刷装置１の近傍に設けられるようにしてもよい。
【０１４９】
この場合、編集用端末と、画像印刷装置１は、無線若しくは有線の通信により接続される。そして、ユーザが画像印刷装置１において撮影を完了したとき、そのユーザに対して、装置の背面１Ｃに設けられている画面が空いている場合には、その画面を利用して編集処理を行うことが案内され、一方、装置の背面１Ｃに設けられている画面が空いていない場合には、近傍に設けられている編集用端末に移動することを案内する画面が表示される。また、割り当てられた編集用端末に設けられているランプを点灯するなどして、ユーザを誘導するようにしてもよい。
【０１５０】
編集用端末において編集が行われる場合、画像印刷装置１から編集用端末に対して、撮影により得られた画像が送信され、編集用端末の画面において編集処理が行われる。編集用端末における編集により得られた画像は、編集用端末のプリンタによりシール紙に印刷されるようにしてもよいし、編集処理により得られた画像が無線若しくは有線により画像印刷装置１に送信され、画像印刷装置１のプリンタ１２１によりシール紙に印刷されるようにしてもよい。
【０１５１】
図２３は、画像印刷装置１により印刷され、シール取り出し口３１に排出されたシール紙の例を示す図である。
【０１５２】
図２３に示されるように、シール紙２１１には、ユーザにより設定された分割数（４分割）に従って、文字や図形などの編集（落書き）が施された画像が印刷される。なお、図２３の編集画像において、被写体の画像（人物の画像）の周辺に、或いは、被写体の画像に一部重畳して示されている「コノヤロ」、「スゴイ」の文字、およびハート形や星形のスタンプ画像はユーザにより入力された編集画像である。このように、ユーザは、好みの文字や画像を、撮影された画像に対して施すことができる。
【０１５３】
このようなシール紙が、画像印刷装置１を利用したユーザに対して提供される。
【図面の簡単な説明】
【０１５４】
【図１】本発明を適用した画像印刷装置の外観の例を示す斜視図である。
【図２】本発明を適用した画像印刷装置の他の外観の例を示す斜視図である。
【図３】図１の画像印刷装置の配置の例を示す図である。
【図４】図１の画像印刷装置の配置の例を上方から示す図である。
【図５】図１の画像印刷装置の内部構成の例を示すブロック図である。
【図６】図５の制御装置の構成例を示すブロック図である。
【図７】画像印刷装置の顧客応対処理を説明するフローチャートである。
【図８】図７のステップＳ２において実行される撮影処理の詳細を説明するフローチャートである。
【図９】図８のステップＳ１１において表示される撮影用モニタの表示例を示す図である。
【図１０】図７のステップＳ３において実行される編集処理の詳細を説明するフローチャートである。
【図１１】画像印刷装置の背面の構成例を示す図である。
【図１２】図１１の編集用モニタの表示例を示す図である。
【図１３】画像印刷装置の背面の他の構成例を示す図である。
【図１４】図１３の編集用モニタの表示例を示す図である。
【図１５】画像印刷装置の背面のさらに他の構成例を示す図である。
【図１６】図１５の編集用モニタの表示例を示す図である。
【図１７】画像印刷装置の背面の構成例を示す図である。
【図１８】図１７の編集用モニタの表示例を示す図である。
【図１９】画像印刷装置の背面の他の構成例を示す図である。
【図２０】画像印刷装置のさらに背面の他の構成例を示す図である。
【図２１】画像印刷装置の構成例を示す図である。
【図２２】画像印刷装置の他の構成例を示す図である。
【図２３】シール紙の例を示す図である。
【符号の説明】
【０１５５】
１  画像印刷装置
１２  撮影装置
１６  撮影用モニタ
１７  操作パネル
３１  シール取り出し口
５１−１，５１−２  編集用モニタ
１０１  制御装置
９７  シール紙ユニット
【図１】
2006065311.tif 000003
【図２】
2006065311.tif 000004
【図３】
2006065311.tif 000005
【図４】
2006065311.tif 000006
【図５】
2006065311.tif 000007
【図６】
2006065311.tif 000008
【図７】
2006065311.tif 000009
【図８】
2006065311.tif 000010
【図９】
2006065311.tif 000011
【図１０】
2006065311.tif 000012
【図１１】
2006065311.tif 000013
【図１２】
2006065311.tif 000014
【図１３】
2006065311.tif 000015
【図１４】
2006065311.tif 000016
【図１５】
2006065311.tif 000017
【図１６】
2006065311.tif 000018
【図１７】
2006065311.tif 000019
【図１８】
2006065311.tif 000020
【図１９】
2006065311.tif 000021
【図２０】
2006065311.tif 000022
【図２１】
2006065311.tif 000023
【図２２】
2006065311.tif 000024
【図２３】
2006065311.tif 000025
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
編集対象の画像と、前記編集対象の画像に施す編集を指示するとき操作される操作画像のうちの少なくともいずれかを表示可能な表示領域が複数設けられる表示手段と、
前記表示手段に設けられる複数の表示領域のうち、第１のグループのユーザが利用している表示領域以外の表示領域を、前記第１のグループに続いて装置を使用する第２のグループのユーザが利用する表示領域として割り当てる制御手段と
を備え、
編集対象とする画像の撮影を行う撮影空間と、前記編集対象の画像に対して編集を施す編集空間と、前記編集対象の画像の印刷を待つ印刷待ち空間とがそれぞれ異なる位置に設けられ、前記編集空間においては、前記制御手段による割り当てにしたがって、前記第１のグループのユーザと前記第２のグループのユーザにより編集が並行して行われる
画像印刷装置。
【請求項２】
利用する人数を受け付け、受け付けた人数分の前記表示領域の割り当てが予約された旨を通知する通知手段をさらに備える
請求項１に記載の画像印刷装置。
【請求項３】
編集対象の画像と、前記編集対象の画像に施す編集を指示するとき操作される操作画像のうちの少なくともいずれかを表示可能な表示領域が複数設けられる表示手段を備える画像印刷装置の画像印刷方法において、
前記複数の表示領域のうち、第１のグループのユーザが利用している表示領域以外の表示領域を、前記第１のグループに続いて装置を使用する第２のグループのユーザが利用する表示領域として割り当てる制御ステップを含み、
前記画像印刷装置には、編集対象とする画像の撮影を行う撮影空間と、前記編集対象の画像に対して編集を施す編集空間と、前記編集対象の画像の印刷を待つ印刷待ち空間とがそれぞれ異なる位置に設けられ、前記編集空間においては、前記制御ステップの処理による割り当てにしたがって、前記第１のグループのユーザと前記第２のグループのユーザにより編集が並行して行われる
画像印刷方法。
【手続補正２】
【補正対象書類名】明細書
【補正対象項目名】００１０
【補正方法】変更
【補正の内容】
【００１０】
本発明の画像印刷装置は、編集対象の画像と、編集対象の画像に施す編集を指示するとき操作される操作画像のうちの少なくともいずれかを表示可能な表示領域が複数設けられる表示手段と、表示手段に設けられる複数の表示領域のうち、第１のグループのユーザが利用している表示領域以外の表示領域を、第１のグループに続いて装置を使用する第２のグループのユーザが利用する表示領域として割り当てる制御手段とを備え、編集対象とする画像の撮影を行う撮影空間と、編集対象の画像に対して編集を施す編集空間と、編集対象の画像の印刷を待つ印刷待ち空間とがそれぞれ異なる位置に設けられ、編集空間においては、制御手段による割り当てにしたがって、第１のグループのユーザと第２のグループのユーザにより編集が並行して行われることを特徴とする。
【手続補正３】
【補正対象書類名】明細書
【補正対象項目名】００１２
【補正方法】変更
【補正の内容】
【００１２】
また、この画像印刷装置には、利用する人数を受け付け、受け付けた人数分の表示領域の割り当てが予約された旨を通知する通知手段をさらに設けることができる。
【手続補正４】
【補正対象書類名】明細書
【補正対象項目名】００１３
【補正方法】変更
【補正の内容】
【００１３】
本発明の画像印刷方法は、第１のグループのユーザが利用している表示領域以外の表示領域を、第１のグループに続いて装置を使用する第２のグループのユーザが利用する表示領域として割り当てる制御ステップを含み、画像印刷装置には、編集対象とする画像の撮影を行う撮影空間と、編集対象の画像に対して編集を施す編集空間と、編集対象の画像の印刷を待つ印刷待ち空間とがそれぞれ異なる位置に設けられ、編集空間においては、制御ステップの処理による割り当てにしたがって、第１のグループのユーザと第２のグループのユーザにより編集が並行して行われることを特徴とする。
【手続補正５】
【補正対象書類名】明細書
【補正対象項目名】００１４
【補正方法】変更
【補正の内容】
【００１４】
本発明の画像印刷装置および方法においては、複数の表示領域のうち、第１のグループのユーザが利用している表示領域以外の表示領域が、第１のグループに続いて装置を使用する第２のグループのユーザが利用する表示領域として割り当てられる。また、画像印刷装置には、編集対象とする画像の撮影を行う撮影空間と、編集対象の画像に対して編集を施す編集空間と、編集対象の画像の印刷を待つ印刷待ち空間とがそれぞれ異なる位置に設けられ、その編集空間においては、第１のグループのユーザと第２のグループのユーザにより編集が並行して行われる。
【手続補正６】
【補正対象書類名】明細書
【補正対象項目名】００１７
【補正方法】変更
【補正の内容】
【００１７】
（参考例）
図１は、本発明を適用した写真シール自販機としての画像印刷装置１の構成例を示す斜視図である。
【手続補正７】
【補正対象書類名】明細書
【補正対象項目名】０１３８
【補正方法】変更
【補正の内容】
【０１３８】
（本願発明の実施例）
以上においては、画像印刷装置１を利用するグループの人数に応じて、編集用モニタ５１−１乃至５１−３の利用形態が切り替わるとしたが、グループの人数に応じて、そのグループに割り当てられる画面が選択され、例えば、割り当てられていない画面がまだある場合（使用されていない画面が残っている場合）、その画面が、次のグループに割り当てられるようにしてもよい。